(57)【要約】【課題】引き戸の室内側表面に錠操作体のみを現わすことによりすっきりした意匠を得ることが可能でありながら、操作性も良好な引き戸錠を提供することを目的とする。【解決手段】引き戸１内に固定される錠本体２の施錠体３を引き戸１の室内側壁面に配置される錠操作体４により施解錠操作する引き戸錠であって、  前記錠操作体４が、引き戸１に固定されるガイド体５の室内側端面を全面に渡って覆うようにガイド体５に対して摺動操作自在に連結して構成する。【選択図】  図３
2006002463.tif 000002
【特許請求の範囲】
【請求項１】
引き戸内に固定される錠本体の施錠体を引き戸の室内側壁面に配置される錠操作体により施解錠操作する引き戸錠であって、
前記錠操作体が、引き戸に固定されるガイド体の室内側端面を全面に渡って覆うようにガイド体に対して摺動操作自在に連結される引き戸錠。
【請求項２】
前記錠操作体とガイド体とが予めサブアッセンブルされるとともに、
錠本体に配置され、前記施錠体を施解錠操作する施錠体操作部には、前記ガイド体の引き戸への固定操作時に錠操作体に形成された係止部に係止する被係止部が設けられる請求項１記載の引き戸錠。
【請求項３】
前記ガイド体は、引き戸の室外側壁面に配置される室外側固定部材と協働して引き戸を挟み付けるようにして引き戸に固定される請求項１または２記載の引き戸錠。
【請求項４】
前記室外側固定部材には、錠操作体に連結されて錠操作体に追随して移動し、錠操作体の施解錠位置変化に伴って表示窓への露出部が変化する表示部材が保持される請求項３記載の引き戸錠。
【請求項５】
前記施錠体は、引き戸の戸先に対応するストライクに係脱して引き戸を施解錠する請求項３または４記載の引き戸錠。
【発明の詳細な説明】
【技術分野】
【０００１】
本発明は、引き戸錠に関するものである。
【背景技術】
【０００２】
すっきりした意匠的外観を得るために、引き戸内の錠本体を操作するための錠操作体のみを引き戸の表面に露出させた引き戸錠としては、特許文献１に記載のものが知られている。
【０００３】
この従来例において、引き戸錠は、引き戸の表裏に配置される一対の操作つまみ半体を備え、これら操作つまみ半体同士を連結することにより、引き戸からの脱落を防止する。両操作つまみ半体を引き戸内に導入する貫通孔は操作つまみ半体の操作方向に長寸に形成されており、操作つまみ半体を引き戸に対して移動操作することができる。
【特許文献１】実公昭５８-３２５１５号公報
【発明の開示】
【発明が解決しようとする課題】
【０００４】
しかし、上述した従来例において、操作つまみ半体は、引き戸を挟み付けるようにして相互に連結されて引き戸からの脱落が防止されるものであるから、引き戸に対するがたつき等が発生しやすく、良好な操作感を得ることが難しいという欠点がある。
【０００５】
本発明は、以上の欠点を解消すべくなされたものであって、引き戸の室内側表面に錠操作体のみを現わすことによりすっきりした意匠を得ることが可能でありながら、操作性も良好な引き戸錠を提供することを目的とする。
【課題を解決するための手段】
【０００６】
本発明によれば上記目的は、
引き戸１内に固定される錠本体２の施錠体３を引き戸１の室内側壁面に配置される錠操作体４により施解錠操作する引き戸錠であって、
前記錠操作体４が、引き戸１に固定されるガイド体５の室内側端面を全面に渡って覆うようにガイド体５に対して摺動操作自在に連結される引き戸錠を提供することにより達成される。
【０００７】
引き戸錠は、引き戸１先端を拘束するいわゆる戸先錠としても、あるいは側面を拘束するいわゆる召し合わせ錠としても構成することが可能であり、対応するストライク１２に係脱して引き戸１を施解錠する施錠体３は、ストライク１２に対応してフック形状、杆状等、適宜変更される。
【０００８】
上記施錠体３に対する施錠体操作部６を操作して引き戸１を施解錠する錠操作体４は、引き戸１に固定されるガイド体５に連結されることによって、該ガイド体５をガイドとして摺動し、操作性の向上が図られる。施錠体３の施解錠動作は、ストライク１２との係脱構造に対応して直進、回転等が選択され、施錠体操作部６には、必要に応じて錠操作体４と施錠体３との間のストローク調整、あるいは軌道変換の機能が付加される。
【０００９】
また、上記錠操作体４は、ガイド体５の室内側端面に被せられる状態で装着され、該端部を全面に渡って覆うために、引き戸１に取り付けた状態で錠操作体４のみが引き戸１表面に露出し、すっきりした意匠的外観を得ることができる。
【００１０】
錠操作体４のガイド体５への連結は、ガイド体５を引き戸１に固定した後で、錠操作体４を、ガイド体５に例えば弾性変形を利用して弾発係止させることにより達成可能であるが、錠操作体４とガイド体５とを予めサブアッセンブルしておくと、取付作業性が向上する。
【００１１】
この場合、錠本体２の施錠体操作部６には、ガイド体５の引き戸１への固定操作時に錠操作体４に形成された係止部７に係止する被係止部８を設けておくことができる。
ガイド体５の引き戸１への固定は、引き戸１の室内側壁面に直接固定する以外に、例えば、ガイド体５に形成された固定部５ａを引き戸１内に挿入した後、引き戸１の室外側壁面に固定して行うことが可能であり、この場合、
引き戸１の室外側壁面に配置される室外側固定部材９と協働して引き戸１を挟み付けるようにして引き戸１に固定すると、固定強度を高くし、かつ、取付作業性も向上させることができる。
【発明の効果】
【００１２】
本発明によれば、引き戸の室内側表面に錠操作体のみを現わすことによりすっきりした意匠を得ることが可能でありながら、操作性も良好にすることができる。
【発明を実施するための最良の形態】
【００１３】
図１ないし５に戸先錠として構成された本発明の実施の形態を示す。この実施の形態において、引き戸１は、パネル体１ａの移動先端面に固定されるサッシ１ｂを有する。図１に示すように、サッシ１ｂの室内外両面には凹溝１ｃが縦方向全長に渡って形成され、サッシ１ｂの戸先面に錠本体２が固定される。
【００１４】
図２に示すように、錠本体２は、ベース１３と、施錠体３と、施錠体３を作動させる施錠体操作部６とを有し、ベース１３に連結される固定プレート１３ａを使用してサッシ１ｂの戸先面に取り付けられる。図１（ｂ）において１３ｂは、ベース１３と固定プレート１３ａとを連結するためのビスを示す。
【００１５】
施錠体３はベース１３上に相対移動自在に保持されて施解錠位置間を移動し、戸枠側のストライク１２に係脱し、施錠体操作部６は、後述する錠操作体４への操作力を施錠体３の施解錠動作に変換する。
【００１６】
この実施の形態は、施錠体操作部６が施錠体３とは別体に形成される場合の一例を示すが、施錠体操作部６は、施錠体３に直接形成された、例えば、カム孔、カム突起等であってもよく、この場合、錠操作体４への操作力は、錠操作体４側に形成されるカム突起等を上記カム孔等に連結して施錠体３に伝達される。
【００１７】
この実施の形態において、施錠体３はフック形状をなし、ベース１３に開設された長孔１３ｃに可動軸３ａを挿入させてベース１３に保持される。施錠体３の可動軸３ａは、ベース１３のスプリング保持ボス１３ｄに巻装されるトーションスプリング１４により長孔１３ｃの終端部側に付勢される。この施錠体３は、図２（ａ）に示すように、係止先端３ｂが引き戸１内に収容された解錠位置と、図２（ｂ）に示すように、係止先端３ｂがサッシ１ｂの戸先面から突出してストライク１２に係止する施錠位置との間を回転する。
【００１８】
これに対する施錠体操作部としての中継体６は、一端部に孔状の被係止部８を備え、枢軸６ａ周りに回転自在にベース１３に支持される。中継体６はプレート状に形成され、一端部に上記錠本体２に開設されたカム孔２ａに挿通するカム突起６ｂを備え、図２（ａ）に示すように、回転ストローク（θ）の時計回り方向終端位置において施錠体３を解錠位置に保持する。これに対し、中継体６が反時計回りに回転されると、施錠体３は図２（ｂ）に示すように、施錠位置に駆動される。この中継体６は、引張スプリング１５によりカム突起６ｂがカム孔２ａの側壁を圧接する方向に付勢される。
【００１９】
上記施錠体３を引き戸１外部から操作するために、引き戸１には、錠操作体４とガイド体５とが配置される。図４（ｃ）に示すように、錠操作体４とガイド体５とは、ガイド体５の両側縁に形成されたガイド突条５ｂに錠操作体４の係止爪４ａを摺動自在に嵌合させて予めサブアッセンブルされる。
【００２０】
ガイド体５には２本の杆状の固定部５ａ、５ａが背面（室外側）に向けて突設され、サッシ１ｂには、これら固定部５ａが貫通可能な取付孔１ｄと、後述する杆状の係止部７が貫通可能な係止部挿通孔１ｅとが開設される（図２（ａ）参照）。固定部５ａの先端には、後述する室外側固定部材９と共締めするビス１６の下孔５ｃが開設される。また、係止部挿通孔１ｅは、係止部７の移動を許容するために、長孔状に形成される。
【００２１】
一方、錠操作体４は、正面視矩形状の本体部４ｂの裏面に係止部７を突出させて形成される。係止部７の基端部には、係止部７の保持部を兼ねたストローク規制ブロック４ｃが膨隆され、ガイド体５側のストローク規制長孔５ｄに嵌合させて錠操作体４の操作ストロークが制限される。
【００２２】
この本体部４ｂの幅方向寸法（Ｗ）は、サッシ１ｂの凹溝１ｃに移動自在に嵌合可能な寸法に設定され、上記ガイド体５をサッシ１ｂに固定した状態で、図３（ｂ）に示すように、本体部４ｂのみが凹溝１ｃ内に露出する。
【００２３】
上述した施錠体操作部６の被係止部８は、ガイド体５を固定する際の係止部７の移動軌跡上に配置されており、ガイド体５のサッシ１ｂへの固定操作に伴って錠操作体４の係止部７が貫通、係止する。この状態で錠操作体４を縦方向に並進操作すると、中継体６は枢軸６ａ周りに揺動し、結果、施錠体３が施解錠位置間を移動する。錠操作体４は、ガイド体５のガイド突条５ｂをガイドとして摺動するために、高い操作感が得られる。
【００２４】
なお、図３（ａ）においては、錠操作体４側の係止部７が杆状に形成されて孔状の被係止部８に係止する場合を示したが、係止部７側を孔状に形成することもできる。
上記ガイド体５を固定するために、サッシ１ｂの室外側壁面には、図５に示すように、サッシ１ｂの凹溝１ｃに嵌合可能な幅寸法を有するボディ１７と、表示部材１１とを有する室外側固定部材９が固定される。ボディ１７は、ビス挿通孔１７ａを貫通するビス１６を上記ガイド体５の固定部５ａに開設された取付孔１ｄにねじ込んでサッシ１ｂに固定される。ビス挿通孔１７ａは、引き戸１の左右勝手違いに対応することが可能なように、幅方向中心線に対して対称位置に２組設けられる。
【００２５】
図３（ａ）に示すように、上記ビス１６を室外側からねじ込むことにより、ガイド体５とボディ１７とは協働してサッシ１ｂを挟み付けて所定位置に保持され、この後、ボディ１７には、ビスカバー１８が装着されてビス頭部１６ａを覆い隠す。図５（ｄ）に示すように、ビスカバー１８は、弾性変形脚１８ａの先端に形成された係止フック１８ｂをボディ１７に弾発係止して装着される。理解を容易にするために、図５（ａ）（ｂ）において上端部のビスカバー１８は取り外した状態で示される。
【００２６】
また、上記ボディ１７の室内側表面にはスライダ収容凹部１７ｂが開設され、スライダ１９の室外側表面に施解錠マーク２０を表示た表示部材１１が保持される。図５（ａ）、（ｃ）に示すように、スライダ１９は、両側縁に形成された摺動溝１９ａにボディ１７側の係止爪１７ｃを係止させて上下方向に摺動可能であり、室外側に向けて嵌合孔１９ｂが明けられる。この嵌合孔１９ｂはガイド体５の固定操作時において錠操作体４の係止部７に対峙しており、図３（ａ）に示すように、ガイド体５のサッシ１ｂへの固定操作に伴って係止部７先端が嵌合し、以後錠操作体４の動作に追従する。
【００２７】
一方、施解錠マーク２０は、スライダ１９にシール２１を貼ってスライダ表面を色分けして形成され、ボディ１７には、スライダ１９が施解錠位置間でスライドした際にいずれか一方の色分け領域２０Ａ、２０Ｂが対応する表示窓１０が室外側に向けて開設される。この実施の形態において、表示部材１１表面は緑領域２０Ａと赤領域２０Ｂに色分けされており、図５（ｂ）に示す解錠状態では緑領域２０Ａが表示窓１０に対応し、室外からは、この色により解錠状態を認識することができる。これに対し、施錠体３が施錠状態になると、図５（ｅ）に示すように、表示窓１０には赤領域２０Ｂが表示される。
【００２８】
さらに、表示部材１１には緊急操作孔１１ａが設けられる。この緊急操作孔１１ａは、表示窓１０から室外側に露出される小孔であり、この緊急操作孔１１ａにピン等を挿入して表示部材１１を直接操作し、施錠体３を駆動することができる。
【図面の簡単な説明】
【００２９】
【図１】本発明を示す図で、（ａ）は引き戸を戸先面側から見た図、（ｂ）は（ａ）の１Ｂ方向矢視図である。
【図２】錠本体を示す図で、（ａ）は解錠状態における図１（ａ）の２Ａ-２Ａ線断面図、（ｂ）は施錠状態における図１（ａ）の２Ａ-２Ａ線断面図である。
【図３】本発明の要部を示す図で、（ａ）は（ｂ）の３Ａ-３Ａ線断面図、（ｂ）は引き戸を室内側から見た図、（ｃ）は引き戸を室外側から見た図である。
【図４】錠操作体を示す図で、（ａ）は背面図、（ｂ）は（ａ）の４Ｂ-４Ｂ線断面図、（ｃ）は（ａ）の４Ｃ-４Ｃ線断面図である。
【図５】室外側固定部材を示す図で、（ａ）は背面図、（ｂ）は正面図、（ｃ）は（ａ）の５Ｃ-５Ｃ線断面図、（ｄ）は（ｂ）の５Ｄ-５Ｄ線断面図、（ｅ）は施錠状態における（ｂ）に対応する正面図である。
【符号の説明】
【００３０】
１        引き戸
２        錠本体
３        施錠体
４        錠操作体
５        ガイド体
６        施錠体操作部
７        係止部
８        被係止部
９        室外側固定部材
１０      表示窓
１１      表示部材
１２      ストライク
【図１】
2006002463.tif 000003
【図２】
2006002463.tif 000004
【図３】
2006002463.tif 000005
【図４】
2006002463.tif 000006
【図５】
2006002463.tif 000007